(57)【要約】【課題】  撮影手段側で、管理センタ計算機のデータベースから日時情報と位置情報に関連付けられたイベント情報を取得することにより、画像データを管理すること。【解決手段】  撮影手段１は、被写体を撮影して画像データを生成する撮影部１４と、前記画像データとともにそのときの位置情報と日時情報を記憶する記憶部１７と、前記位置情報と前記日時情報を管理センタ計算機２に送信し、前記管理センタ計算機２から当該位置情報と当該日時情報に対応する１以上のイベント情報を受信する通信部１５と、前記１以上のイベント情報を表示する表示部１６と、前記撮影手段１の操作者が前記表示部１６に表示された前記１以上のイベント情報から所望のイベント情報を選択し、決定するために操作する操作部１３と、前記操作部１３によって決定されたイベント情報を前記画像データと関連付けて記憶部１７に記憶する制御部１８とを備える。【選択図】      図１
2006338097.tif 000002
【特許請求の範囲】
【請求項１】
被写体を撮影して画像データを生成する撮影部と、
前記画像データとともに、そのときの自身の位置情報と日時情報を記憶する記憶部と、
前記位置情報と前記日時情報を管理センタ計算機に送信し、前記管理センタ計算機から当該位置情報と当該日時情報に対応する１以上のイベント情報を受信する通信部と、
前記１以上のイベント情報を表示する表示部と、
操作者が前記表示部に表示された前記１以上のイベント情報から所望のイベント情報を選択し、決定するために操作する操作部と、
前記操作部によって決定されたイベント情報を前記画像データと関連付けて前記記憶部に記憶する制御部と、
を備えたことを特徴とする撮影装置。
【請求項２】
３機以上の衛星から測位信号を受信する測位信号受信部を、さらに備え、
前記位置情報は、前記制御部が前記測位信号受信部によって前記衛星から受信した測位信号に基づいて算出した情報である
ことを特徴とする請求項１に記載の撮影装置。
【請求項３】
地上または施設内に設置された３台以上の無線基地局を有する測位システムと無線信号の送受信を行う送受信部を、さらに備え、
前記位置情報は、前記制御部が前記送受信部によって前記無線局から受信した無線信号に基づいて算出または取得した情報である
ことを特徴とする請求項１に記載の撮影装置。
【請求項４】
前記位置情報は、高度に関する情報を含むことを特徴とする請求項３に記載の撮影装置。
【請求項５】
画像データとともにそのときの自身の位置情報と日時情報を記憶する撮影装置、または、当該撮影装置からそれらを受信して記憶した端末装置、から前記位置情報と前記日時情報を受信し、それらに対応したイベント情報を前記撮影装置または前記端末装置に送信する管理センタ計算機であって、
前記イベント情報を、イベントの位置情報および日時情報と関連付けて記憶するイベント情報データベースと、
前記撮影装置または前記端末装置から前記位置情報と前記日時情報を受信する通信部と、
前記通信部が受信した前記位置情報と前記日時情報に基づいて前記イベント情報データベースを検索し、該当する１以上のイベント情報を通信部から前記撮影装置または前記端末装置に送信する制御部と、
を備えたことを特徴とする管理センタ計算機。
【請求項６】
前記位置情報は、高度に関する情報を含むことを特徴とする請求項５に記載の管理センタ計算機。
【発明の詳細な説明】
【技術分野】
【０００１】
本発明は、デジタルカメラなどで撮影した画像に対して、管理センタ計算機を用いてイベント情報を付加する技術に関する。
【背景技術】
【０００２】
近年、デジタルスチルカメラ、デジタルビデオカメラ、カメラ付携帯電話などの普及にともなって、画像をデジタルデータとして保存（記憶）することが一般的になってきている。
また、通信手段においては、ＡＤＳＬ（Asymmetric Digital Subscriber Line）、光ファイバなどの有線回線や、携帯電話、無線ＬＡＮ、Bluetooth（登録商標）などの無線回線により、大容量化、高速化が日進月歩で進んでいる。
【０００３】
ところで、画像の撮影者やその関係者などは、デジタルカメラなどの撮影装置で画像を撮影してからある程度の時間が経つと、その画像を撮影した日時や場所などの状況を思い出せなくなってしまうことがある。
そこで、前記したように画像データがデジタル化し、また、撮影装置で画像を撮影するときに画像以外の付加情報を合わせて保存する技術が発達したことを利用して、その解決方法がいくつか提案されている。
【０００４】
たとえば、特許文献１では、デジタルカメラなどで撮影した画像データと、それに付随してＧＰＳや内部時計などから得られた位置情報と日時情報を、そのときのイベント情報（○○博覧会など）と関連付けてサーバで管理することで、その後の画像データの管理や検索を容易にすることができる技術が開示されている。
【特許文献１】特開２００１−２８２８１３号公報（段落００２４〜段落００３０、図９）
【発明の開示】
【発明が解決しようとする課題】
【０００５】
しかしながら、特許文献１の技術は、サーバ側で画像データを管理したり検索したりするものであるので、撮影装置側（撮影装置から画像データを受信して記憶した端末装置を含む）で画像データを適切に管理できないという問題があった。
また、特許文献１では、１つの画像データに対応するイベント情報の候補が複数存在する場合についての記載がまったくなく、そういった場合に対応できていないという問題があった。
そこで、本発明は、前記問題点に鑑みてなされたものであり、撮影装置側で、管理センタ計算機のデータベースから日時情報と位置情報に関連付けられたイベント情報を取得することにより、画像データを管理することを目的とする。
【課題を解決するための手段】
【０００６】
前記課題を解決するために、本発明に係る撮影装置は、被写体を撮影して画像データを生成する撮影部と、前記画像データとともに、そのときの自身の位置情報と日時情報を記憶する記憶部と、前記位置情報と前記日時情報を管理センタ計算機に送信し、前記管理センタ計算機から当該位置情報と当該日時情報に対応する１以上のイベント情報を受信する通信部と、前記１以上のイベント情報を表示する表示部と、操作者が前記表示部に表示された前記１以上のイベント情報から所望のイベント情報を選択し、決定するために操作する操作部と、前記操作部によって決定されたイベント情報を前記画像データと関連付けて前記記憶部に記憶する制御部とを備える。
【発明の効果】
【０００７】
本発明によれば、撮影装置側で、管理センタ計算機のデータベースから日時情報と位置情報に関連付けられたイベント情報を取得することにより、画像データを管理することができる。
【発明を実施するための最良の形態】
【０００８】
本発明に係る画像データ管理システムの２つの実施形態について、適宜図面を参照しながら説明する。
【０００９】
[第１実施形態]
まず、図１を参照しながら、第１実施形態に係る画像データ管理システムの全体構成について説明する。図１は、画像データ管理システムを含む全体構成図である。
画像データ管理システム１００は、衛星３からの測位信号を受信する撮影手段（撮影装置）１、および、撮影手段１とネットワーク４を経由して接続された管理センタ計算機２を含めて構成される。
【００１０】
＜撮影手段＞
撮影手段１は、風景、人物、建物などの被写体を、静止画あるいは動画として撮影するものであり、たとえば、デジタルスチルカメラ、デジタルビデオカメラ、カメラ付携帯電話などである。以下、撮影手段１の各構成について説明する。また、撮影手段１の各構成は、図示しない電源手段（充電池など）により動作する。
測位信号受信部１１は、衛星３からの測位信号（衛星３の位置情報や時刻情報など）を受信するものである。
内部時計１２は、計時手段であり、たとえば、発振素子を利用したクロックジェネレータなどにより実現することができる。
【００１１】
操作部１３は、撮影手段１の利用者が各種操作を行うために操作するものであり、たとえば、ボタンなどにより実現することができる。
撮影部１４は、被写体を撮影し、それを所定の画像形式（ＪＰＥＧ（Joint Photographic Experts Group）、ＧＩＦ（Graphic Interchange Format）、ＭＰＥＧ（Moving Picture Experts Group）など）の画像データに変換する役割を果たす。
通信部１５は、ネットワーク４を介して、管理センタ計算機２と通信を行う通信装置である。
【００１２】
表示部１６は、画像や撮影手段１の操作事項などを表示するものであり、液晶表示装置などにより実現することができる。
記憶部１７は、撮影部１４によって得られた画像データなど、種々のデータ（情報）を記憶するものである。
制御部１８は、測位信号受信部１１〜記憶部１７の各構成と接続され、測位信号受信部１１が衛星３から受信した測位信号に基づいて撮影手段１の位置とそのときの日時を算出したり、操作部１３の操作に基づいて通信部１５や記憶部１７を制御したりなど、種々の演算処理を行うものであり、たとえば、ＭＰＵ（Micro Processing Unit）により実現することができる。
【００１３】
＜管理センタ計算機＞
管理センタ計算機２は、所定の地域（東京都、関東地方など）におけるイベント情報を管理する管理センタに設置された計算機である。管理センタ計算機２は、通信部２１、制御部２２およびイベント情報データベース２３を含めて構成され、各種サーバや各種コンピュータにより実現することができる。
なお、イベント情報とは、展示会、スポーツの試合、建物など、位置情報のみあるいは位置情報と日時情報の両方によって特定することのできる種類の情報のことである。
【００１４】
通信部２１は、ネットワーク４を介して、撮影手段１と通信を行う通信装置である。
制御部２２は、ネットワーク４と通信部２１を経由して受信した撮影手段１からのデータに基づいてイベント情報データベース２３を検索したりなど、種々の演算処理を行うものであり、たとえば、ＣＰＵ（Central Processing Unit）により実現することができる。
イベント情報データベース２３は、イベント情報をイベントの位置情報と日時情報に関連付けて記憶するデータベースであり、その詳細については図３の説明として後記する。
【００１５】
＜衛星＞
衛星３は、たとえば、ＧＰＳ（Global Positioning System）、Ｇａｌｉｌｅｏ（欧州主導の汎地球的衛星測位システム）、準天頂衛星システム（サービスエリアの天頂付近に常に少なくとも１機の衛星を配置するシステム）などにおいて使用される衛星のことである。衛星３は、定期的（たとえば１秒ごと）に測位信号（衛星３の位置情報や時刻情報など）を地上に送信する。
なお、図１では、衛星３は１機しか示されていないが、実際には３機以上あるものとする。
【００１６】
＜ネットワーク＞
ネットワーク４は、ＡＤＳＬ、光ファイバなどの有線回線、あるいは、携帯電話回線、無線ＬＡＮ、Bluetooth（登録商標）などの無線回線のいずれか、あるいはその組み合わせにより実現することができる。また、ネットワーク４は、無線中継機や基地局などの装置を含んでいてもよい。
【００１７】
続いて、図２を参照しながら、撮影手段の記憶部に記憶される画像関連情報（画像データを含む情報）について説明する（適宜図１参照）。図２は、撮影手段の記憶部に記憶される画像関連情報の例を示す図であり、（ａ）は、管理センタ計算機からイベント情報を取得する前、（ｂ）は、管理センタ計算機からイベント情報を取得した後、を示す図である。
【００１８】
図２（ａ）において、撮影手段１の記憶部１７に記憶される画像関連情報は、次の５つの欄（項目）から構成される。以下、それらの各欄について説明する。
画像データ欄２０１は、画像データを格納するところである。つまり、撮影手段１の撮影部１４によって撮影された画像データが、この画像データ欄２０１に記憶されることになる。なお、画像データは、ここではＪＰＥＧ形式となっているが、ＧＩＦやＭＰＥＧなどの別の形式であってもよい。
日時欄２０２は、画像データ欄２０１に格納された画像データを撮影した日時に関する情報（日時情報）を格納するところである。この日時情報は、測位信号受信部１１が衛星３から受信した測位信号に基づいて制御部１８が算出することにより求めてもよいし、また、内部時計１２から得るようにしてもよい。
【００１９】
経度欄２０３と緯度欄２０４は、画像データ欄２０１に格納された画像データが撮影部１４によって撮影された直後に、測位信号受信部１１が衛星３から受信した測位信号に基づいて制御部１８が算出した撮影手段１の経度と緯度に関する情報（以下、合わせて「位置情報」という）である。ここでは、経度欄２０３は東経により、緯度欄２０４は北緯により、それぞれの位置を表わしている。
イベント情報欄２０５は、画像データ欄２０１に格納された画像データに関連するイベント情報を、管理センタ計算機２のイベント情報データベース２３から取得して格納するところであるが、ここでは未取得であり空欄となっている。
【００２０】
図２（ｂ）において、画像データ欄２０１〜緯度欄２０４は、図２（ａ）の場合と同様である。また、イベント情報欄２０５には、管理センタ計算機２のイベント情報データベース２３から取得したイベント情報が格納されている。
【００２１】
次に、図３を参照しながら、管理センタ計算機のイベント情報データベースに記憶される情報について説明する（適宜図１、図２参照）。図３は、管理センタ計算機のイベント情報データベースの例であり、（ａ）は、撮影手段から受信した位置情報と日時情報により検索をかける前、（ｂ）は、撮影手段から受信した位置情報と日時情報により検索をかけた後、を示す図である。
【００２２】
図３（ａ）において、イベント情報欄３０５は、各種イベントの名称を格納するところである。
日時欄３０１は、イベント情報欄３０５に格納されたイベントが開催される日時を格納するところである。なお、ここでは、時間や分の単位まで記憶しているが、日付の単位までを記憶するようにしてもよい。また、イベントの実際の開催時間帯の前や後にも撮影手段１によって撮影が行われる可能性がある場合は、日時欄３０１に格納する日時の長さは実施のイベント開催時間帯よりも長く設定しておいてもよい。
【００２３】
経度欄３０２と緯度欄３０３は、イベント情報欄３０５に格納されたイベントが開催される場所の中心地点あるいはその付近を格納するところである。ここでは、経度欄３０２は東経により、緯度欄３０３は北緯により、それぞれの位置を表わしている。
イベント関連領域欄３０４は、経度欄３０２に格納された地点を中心として経度方向に広がる範囲、および、緯度欄３０３に格納された地点を中心として緯度方向に広がる範囲を示す値（ｍ：メートル）を格納するところである。
【００２４】
たとえば、イベント情報欄３０５に「Ａ野球試合」と格納されている１段目の場合、イベント関連領域欄３０４により示される範囲は、東経１３６度４０分２５秒、北緯３４度３０分２０秒の地点を中心に、一辺が１８００（ｍ）の正方形の範囲となる。
なお、イベント関連領域欄３０４の単位は、メートルでなくても経度や緯度の秒などであってもよい。
また、この正方形の範囲は、イベント情報欄３０５に格納されたイベントが開催される場所そのものを示している必要はなく、それよりも広い範囲を示していることが好ましい。なぜなら、イベントの開催場所から少し離れて写真などを撮影することも充分ありえるからである。
【００２５】
図３（ｂ）は、図３（ａ）に示したイベント情報データベース２３の例において、撮影手段１から受信した位置情報と日時情報により検索をかけたときに、上から３段目と４段目がヒットしたときの様子を表わしている。
【００２６】
画像データ管理システム１００（図１参照）について、以上で構成の説明を終わり、以下、図４を参照しながら、動作について説明する（適宜図１参照）。図４は、画像データ管理システムおよび衛星の動作を示したフローチャートである。
【００２７】
まず、撮影者は、イベントの会場（たとえば「Ｃ展示会」）付近で撮影手段１により写真を撮影し、撮影部１４によって生成された画像データは、記憶部１７に記憶される（ステップＳ１）。
また、衛星３は、定期的に測位信号を地上に送信していて、ステップＳ１の直後にも測位信号を地上に送信しており（ステップＳ２）、撮影手段１の測位信号受信部１１は、その測位信号を受信する。
【００２８】
そして、撮影手段１の制御部１８は、ステップＳ２で測位信号受信部１１が受信した測位信号から、そのときの日時と撮影手段１の位置を算出し（ステップＳ３）、算出された時刻（つまり日時情報）と位置情報を記憶部１７に記憶する（ステップＳ４）。
なお、制御部１８が使用する測位信号は、撮影の直後（ステップＳ２）に測位信号受信部１１が受信したものでなくても、撮影の直前に測位信号受信部１１が受信したものであってもよい。
また、このステップＳ４が終了した時点において、撮影手段１の記憶部１７に記憶されている画像関連情報は、たとえば、図２（ａ）に示すようになっており、イベント情報欄２０５が空欄になっている。
【００２９】
その後、撮影手段１の操作者（撮影者と同一でなくてもよい）は、その画像データに関するイベント情報を取得したいとき、撮影手段１の操作部１３を操作することで、その画像データの日時情報と位置情報を管理センタ計算機２に送信、すなわち、管理センタ計算機２にイベント情報を問い合わせる（ステップＳ５）。
なお、操作者によるこのステップＳ５のイベント情報の問い合わせは、撮影を行ってから、数週間後、数ケ月後、数年後など、いつでも行うことができる。つまり、操作者が画像データを整理したい場合などにおいて、撮影からある程度の時間が経過していてその撮影の場面を思い出せないときなどに、このステップＳ５によるイベント情報の問い合わせを行えばよい。また、このステップＳ５によるイベント情報の問い合わせは、撮影後すぐに行ってもよい。
【００３０】
図４のフローチャートに戻って、管理センタ計算機２は、イベント情報データベース２３のイベント情報に関するデータを定期的に更新している（ステップＳ６）。
そして、撮影手段１から日時情報と位置情報を通信部２１によって受信した管理センタ計算機２において、制御部２２は、イベント情報データベース２３を検索し、その日時情報と位置情報に対応するイベント情報を抽出する（ステップＳ７）。なお、抽出するイベント情報は、１つであっても、また、複数であってもよい。
たとえば、制御部２２が受信した日時情報と位置情報がそれぞれ図２（ａ）の日時欄２０２、経度欄２０３と緯度欄２０４に格納された内容であり、イベント情報データベース２３が図３（ａ）に示した内容であったとすると、制御部２２は、図３（ａ）のデータベースの日時欄３０１、経度欄３０２、緯度欄３０３およびイベント関連領域欄３０４を参照することで検索を行い、その結果、図３（ｂ）に示すように３段目と４段目を抽出する。
【００３１】
そして、管理センタ計算機２の制御部２２は、ステップＳ７で抽出したイベント情報を撮影手段１に送信する（ステップＳ８）。
なお、抽出したイベント情報が図３（ｂ）の３段目と４段目のイベント情報欄３０５に格納された「Ｃ展示会」と「Ｄ博物展」である場合、イベント情報欄３０５に格納されたそれらの情報のほかに、日時欄３０１〜イベント関連領域欄３０４に格納された情報も合わせて送信するようにしてもよい。
【００３２】
続いて、撮影手段１の表示部１６は、受信したイベント情報を表示する。そして、操作者は、操作部１３を操作することによって、表示部１６に表示されたイベント情報から希望のものを選択（および決定）し、撮影手段１の制御部１８は、その選択したイベント情報を記憶部１７に記憶する（ステップＳ９）。
【００３３】
たとえば、撮影手段１の表示部１６に「Ｃ展示会」と「Ｄ博物展」が表示され、操作者が「Ｃ展示会」を選択した場合、記憶部１７において、図２（ａ）に示すように画像関連情報において空欄になっていたイベント情報欄２０５に「Ｃ展示会」が入り、画像関連情報は図２（ｂ）に示すようになる。
【００３４】
このように、操作者は、画像データに対応する１つ以上のイベント情報から所望のものを選択および決定することができ、画像データの整理などを円滑に行うことができる。
なお、この第１実施形態では、撮影手段１によって画像データの整理などをすることとしたが、撮影手段１の代わりに撮影手段１から画像データなどを受信して記憶した端末装置（パソコンなど）を使用してもよい。
【００３５】
[第２実施形態]
次に、図５を参照しながら、第２実施形態に係る画像データ管理システムの全体構成について説明する。図５は、画像データ管理システムを含む全体構成図である。なお、図５において、図１と同じ構成には同じ符号を付し、重複説明を省略する。
画像データ管理システム１００ａは、地上測位システム（測位システム）５と無線信号を送受信する撮影手段１ａ、および、撮影手段１ａとネットワーク４を経由して接続された管理センタ計算機２を含めて構成される。
【００３６】
撮影手段１ａは、図１の撮影手段１と比べて、測位信号受信部１１の代わりに送受信部１９が設けられている点のみ、相違している。
送受信部１９は、地上測位システム５に無線信号を送信し、また、地上測位システム５から送信される無線信号を受信する役割を果たす。
【００３７】
地上測位システム５は、撮影手段１ａと無線信号を送受信することにより撮影手段１ａの位置を測定するものであり、無線ＬＡＮ基地局（無線基地局）５１，５２，５３と位置検知サーバ５４を含めて構成される。
無線ＬＡＮ基地局５１，５２，５３は、撮影手段１ａの送受信部１９から送信される無線信号を受信し、位置検知サーバ５４にその無線信号を送信するものである。
【００３８】
位置検知サーバ５４は、無線ＬＡＮ基地局５１，５２，５３が撮影手段１ａから受信した無線信号の時間差（時刻差）に基づいて、撮影手段１ａの位置（たとえば、経度、緯度および高度）を算出するものである。なお、位置検知サーバ５４には、無線ＬＡＮ基地局５１，５２，５３のそれぞれの高度も登録されているものとする。
そして、位置検知サーバ５４は、算出した撮影手段１ａの位置情報をいずれかの無線ＬＡＮ基地局（たとえば無線ＬＡＮ基地局５１）により撮影手段１ａに送信する。
【００３９】
なお、このような地上測位システムとしては、本出願人のＡｉｒ  Ｌｏｃａｔｉｏｎ（登録商標）を好適に使用することができる。
また、無線ＬＡＮ基地局５１，５２，５３は、ここでは３台としているが、位置検知の精度を高めるなどの目的により、４台以上としてもよい。
さらに、撮影手段１ａによる位置の算出は、地上測位システム５の側でなく、撮影手段１ａの側で、無線ＬＡＮ基地局５１，５２，５３から送信された無線信号に基づいて行うようにしてもよい。
【００４０】
次に、図６を参照しながら、撮影手段の記憶部に記憶される画像関連情報（画像データを含む情報）について説明する（適宜図５参照）。図６は、撮影手段の記憶部に記憶される画像関連情報の例を示す図である。
図６において、撮影手段１ａの記憶部１７に記憶される画像関連情報は、６つの欄（項目）から構成される。そして、画像データ欄６０１、日時欄６０２、経度欄６０３、緯度欄６０４およびイベント情報６０６については、図２の画像データ欄２０１、日時欄２０２、経度欄２０３、緯度欄２０４およびイベント情報欄２０５とそれぞれ同様であるので、説明を省略する。
高度欄６０５は、画像データ欄６０１に格納された画像データが撮影されたときの撮影手段１ａの高度（地上からの距離）を格納するところである。なお、高度欄６０５は、地上からの距離でなくても、標高や建物の階数（たとえば地上測位システム５が設置されたフロアの階数）などで表わしてもよい。
【００４１】
続いて、図７を参照しながら、管理センタ計算機のイベント情報データベースに記憶される情報について説明する（適宜図５、図６参照）。図７は、管理センタ計算機のイベント情報データベースの例である。
図７において、に記憶される画像関連情報は、７つの欄（項目）から構成される。そして、日時欄７０１、経度欄７０２、緯度欄７０３、経度緯度のイベント関連領域欄７０４およびイベント情報欄７０７は、図３の日時欄３０１、経度欄３０２、緯度欄３０３、イベント関連領域欄３０４およびイベント情報欄３０５とそれぞれ同様であるので、説明を省略する。
【００４２】
高度欄７０５は、イベント情報欄７０７に格納されたイベントが開催される場所の高度を格納するところである。ここでは、高度欄７０５は、地上からの距離により表わされている。
高度のイベント関連領域欄７０６は、高度欄７０５に格納された高度に関する許容領域を格納するところである。たとえば、高度欄７０５の値が１０ｍで、高度のイベント関連領域７０６の値が２ｍの場合、高度９ｍから１１ｍがその許容範囲ということになる。なお、この高度のイベント関連領域７０６は、撮影者の体勢によってその保持する撮影手段１ａの高度が異なることや、地上測位システム５の高度の精度などに基づいて、適宜、適切な値に設定すればよい。
【００４３】
画像データ管理システム１００ａ（図５参照）について、以上で構成の説明を終わり、以下、図８を参照しながら、動作について説明する（適宜図５参照）。図８は、画像データ管理システムおよび地上測位システムの動作を示したフローチャートである。
まず、撮影者は、イベントの会場（たとえば「Ｆ博覧会」）付近で撮影手段１ａにより写真を撮影し、撮影部１４によって生成された画像データは、記憶部１７に記憶される（ステップＳ１１）。
【００４４】
その直後、撮影手段１ａの送受信部１９は、地上測位システム５の無線ＬＡＮ基地局５１，５２，５３に無線信号を送信する（ステップＳ１２）。
位置検知サーバ５４は、無線ＬＡＮ基地局５１，５２，５３が撮影手段１ａからそのとき受信した無線信号に基づいて撮影手段１ａの位置を算出し、その位置情報を撮影手段１ａに送信する(ステップＳ１３)。
【００４５】
そして、ステップＳ１４〜ステップＳ１９は、図４のステップＳ４〜ステップＳ９と比べて、位置情報として高度（情報）が加わった以外はまったく同様であり、高度も経度や緯度と同じように扱われるものであるため、説明を省略する。
このように、撮影手段１ａの操作者は、たとえば、同じ建物において異なる高度（階数）で行われたイベントが複数あった場合でも、所望のイベント情報のみを取得することができ、画像データの整理などを円滑に行うことができる。
【００４６】
以上で実施形態の説明を終えるが、本発明の態様はこれらに限定されるものではない。
たとえば、イベント情報は、マラソン大会のコース全体など、広範囲にわたるものであってもよい。
また、位置情報は、経度や緯度によって表わすものでなくても、基準点や基準線からの距離など、別の表現により表わすものであってもよい。
【００４７】
さらに、衛星３や地上測位システム５の代わりに、ＧＰＳの擬似衛星（ＧＰＳの信号形式を利用してＧＰＳの補完・補強信号を発信する地上配信設備など）などの別の装置を利用してもよい。
その他、具体的な構成について、本発明の趣旨を逸脱しない範囲で適宜変更が可能である。
【図面の簡単な説明】
【００４８】
【図１】第１実施形態に係る画像データ管理システムを含む全体構成図である。
【図２】第１実施形態において、撮影手段の記憶部に記憶される画像関連情報の例を示す図であり、（ａ）は、管理センタ計算機からイベント情報を取得する前、（ｂ）は、管理センタ計算機からイベント情報を取得した後、を示す図である。
【図３】第１実施形態における管理センタ計算機のイベント情報データベースの例であり、（ａ）は、撮影手段から受信した位置情報と日時情報により検索をかける前、（ｂ）は、撮影手段から受信した位置情報と日時情報により検索をかけた後、を示す図である。
【図４】第１実施形態に係る画像データ管理システムおよび衛星の動作を示したフローチャートである。
【図５】第２実施形態に係る画像データ管理システムを含む全体構成図である。
【図６】第２実施形態において、撮影手段の記憶部に記憶される画像関連情報の例を示す図である。
【図７】第２実施形態における管理センタ計算機のイベント情報データベースの例である。
【図８】第２実施形態に係る画像データ管理システムおよび地上測位システムの動作を示したフローチャートである。
【符号の説明】
【００４９】
１      撮影手段
２      管理センタ計算機
１１    測位信号受信部
１３    操作部
１４    撮影部
１５    通信部
１６    表示部
１７    記憶部
１８    制御部
１９    送受信部
２１    通信部
２２    制御部
２３    イベント情報データベース
【図１】
2006338097.tif 000003
【図２】
2006338097.tif 000004
【図３】
2006338097.tif 000005
【図４】
2006338097.tif 000006
【図５】
2006338097.tif 000007
【図６】
2006338097.tif 000008
【図７】
2006338097.tif 000009
【図８】
2006338097.tif 000010